(57)【要約】【課題】温度適応オーバドライブ方法、システムおよび装置。【解決手段】温度変動を補正するためにＬＣＤ装置内の液晶に対しオーバドライブ・パラメータを計算する方法およびシステム。システムの例は液晶付近の周囲温度を測定する温度センサおよび複数のオーバドライブ・パラメータを含むルックアップ表を格納するメモリを含む。各オーバドライブ・パラメータは先行フレームおよび現行フレーム間のグレーレベル遷移に対応し、基準温度でのグレーレベル遷移に望ましい応答時間を達成するために液晶が駆動されるレベルを表す。プロセッサがルックアップ表から適当なオーバドライブ・パラメータを抽出し、測定周囲温度および基準温度間の差を調節する適応オーバドライブ・パラメータを計算する。【選択図】図３
2008242458.tif 000002
【特許請求の範囲】
【請求項１】
液晶ディスプレイ装置を駆動する方法で、
周囲温度を特定することと、
複数のオーバドライブ・パラメータを含むルックアップ表からオーバドライブ・パラメ
ータを抽出することで、各オーバドライブ・パラメータは第１フレームおよび第２フレー
ム間のグレーレベル遷移に対応し、グレーレベル遷移に対し望ましい応答時間を達成する
ために液晶が駆動されるレベルを表すことと、
温度適応アルゴリズムをルックアップ表から抽出されたオーバドライブ・パラメータに
適用し、特定周囲温度および抽出されたオーバドライブ・パラメータが較正される基準温
度間の差に対し調節する適応オーバドライブ・パラメータを決定することと、
を含むことを特徴とする液晶ディスプレイ装置を駆動する方法。
【請求項２】
温度適応アルゴリズムにより決定された適応オーバドライブ・パラメータは特定周囲温
度で較正されたオーバドライブ・パラメータに近似することを特徴とする請求項１に記載
の液晶ディスプレイ装置を駆動する方法。
【請求項３】
温度適応アルゴリズムは線形パラメトリック・サーフェス・モデルを利用することを特
徴とする請求項１に記載の液晶ディスプレイ装置を駆動する方法。
【請求項４】
温度適応アルゴリズムにより決定された適応オーバドライブ・パラメータは得られたグ
レーレベル遷移エラーの約９５％を超えて「最小弁別値」（ＪＮＤ）の閾値未満に維持す
る応答時間を達成することを特徴とする請求項１に記載の液晶ディスプレイ装置を駆動す
る方法。
【請求項５】
ルックアップ表は複数の開始グレーレベルを複数の目標グレーレベルにマップすること
含み、各オーバドライブ・パラメータは１つの開始グレーレベルおよび１つの目標グレー
レベル間のグレーレベル変動に対応し、開始グレーレベルおよび目標グレーレベルはゼロ
（０）と１の間で正規化されることを特徴とする請求項１に記載の液晶ディスプレイ装置
を駆動する方法。
【請求項６】
温度適応アルゴリズムは適応オーバドライブ・パラメータＭT1（ｉ，ｊ）を次の式（１
）、
【数１】
2008242458.tif 000020
に従い計算し、式（１）中のＭT0（ｉ，ｊ）は開始グレーレベルｉおよび目標グレーレ
ベルｊのルックアップ表から抽出されるオーバドライブ・パラメータで、Ｄ（ｉ，ｊ）は
特定周囲温度および基準温度間の差を補正する補正パラメータであることを特徴とする請
求項５に記載の液晶ディスプレイ装置を駆動する方法。
【請求項７】
温度適応アルゴリズムはさらにＤ（ｉ，ｊ）を次の式（２）、
【数２】
2008242458.tif 000021
に従い計算し、式（２）中のα、Ｔ０およびＴ１は度で測定され、αは定数、Ｔ０は基
準温度を表し、Ｔ１は特定周囲温度を表し、ｆ（ｉ，ｊ）は開始グレーレベルｉおよび目
標グレーレベルｊの関数であることを特徴とする請求項６に記載の液晶ディスプレイ装置
を駆動する方法。
【請求項８】
Ｄ（ｉ，ｊ）の計算はさらに、
【数３】
2008242458.tif 000022
式（３）を含み、
式（３）中のｋ1、ｋ2、ｋ3およびｋ4は定数であり、
【数４】
2008242458.tif 000023
式（４）中のαrおよびαfは度で測定される定数であることを特徴とする請求項７に記
載の液晶ディスプレイ装置を駆動する方法。
【請求項９】
ｋ1、ｋ2、ｋ3、ｋ4、αrおよびαfは各々独自の液晶ディスプレイ装置に対しカスタム
化でき、温度適応アルゴリズムと、各温度における較正を用いて得られた実際のルックア
ップ表との間のエラーを最小化することにより決定されることを特徴とする請求項８に記
載の液晶ディスプレイ装置を駆動する方法。
【請求項１０】
液晶ディスプレイ内の温度変動を補正するシステムであって、
周囲温度を測定するよう構成される温度センサと、
複数のオーバドライブ・パラメータを含むルックアップ表を格納するよう構成されるメ
モリで、各オーバドライブ・パラメータは先行フレームおよび後続フレーム間のグレーレ
ベル遷移に対応し、グレーレベル遷移に対し望ましい応答時間を達成するために液晶が駆
動されるレベルを表し、ルックアップ表のオーバドライブ・パラメータは基準温度で較正
されるメモリと、
ルックアップ表から先行フレームおよび後続フレーム間のグレーレベル遷移に対応する
オーバドライブ・パラメータを抽出するよう構成され、さらに測定周囲温度および抽出さ
れたオーバドライブ・パラメータが較正される基準温度間の差を調節する適応オーバドラ
イブ・パラメータを計算するよう構成されるプロセッサと、
を含むことを特徴とする液晶ディスプレイ内の温度変動を補正するシステム。
【請求項１１】
ビデオ信号を赤・青・緑（ＲＧＢ）から輝度・帯域・クロミナンス（ＹＵＶ）の色空間
に変換するよう構成される第１変換モジュールで、プロセッサの入力に連結される入力を
有する第１変換モジュールと、
ビデオ信号をＹＵＶからＲＧＢの色空間に変換するよう構成される第２変換モジュール
で、プロセッサの出力に連結される入力を有する第２変換モジュールと、
を含むことを特徴とする請求項１０に記載の液晶ディスプレイ内の温度変動を補正するシ
ステム。
【請求項１２】
第２変換モジュールの出力を表示するよう構成される液晶ディスプレイ
を含むことを特徴とする請求項１１に記載の液晶ディスプレイ内の温度変動を補正するシ
ステム。
【請求項１３】
プロセッサはさらに適応オーバドライブ・パラメータを計算するために必要とする演算
の数を最小化するプロセッサ最適化実施を用いるよう構成されることを特徴とする請求項
１０に記載の液晶ディスプレイ内の温度変動を補正するシステム。
【請求項１４】
プロセッサはさらにルックアップ表のデータを補間することによりプロセッサが使用す
るメモリ帯域を最小化するメモリ最適化実施を用いるよう構成されることを特徴とする請
求項１０に記載の液晶ディスプレイ内の温度変動を補正するシステム。
【請求項１５】
ルックアップ表は複数の開始グレーレベルを複数の目標グレーレベルにマップすること
含み、各オーバドライブ・パラメータは１つの開始グレーレベルおよび１つの目標グレー
レベル間のグレーレベル変動に対応し、開始グレーレベルおよび目標グレーレベルはゼロ
（０）と１の間で正規化されることを特徴とする請求項１０に記載の液晶ディスプレイ内
の温度変動を補正するシステム。
【請求項１６】
プロセッサはさらに適応オーバドライブ・パラメータＭT1（ｉ，ｊ）を次の式（５）、
【数５】
2008242458.tif 000024
に従い計算するよう構成され、式（５）中のＭT0（ｉ，ｊ）は開始グレーレベルｉおよ
び目標グレーレベルｊのルックアップ表から抽出されるオーバドライブ・パラメータで、
Ｄ（ｉ，ｊ）は特定周囲温度および基準温度間の差を補正する補正パラメータであること
を特徴とする請求項１０に記載の液晶ディスプレイ内の温度変動を補正するシステム。
【請求項１７】
プロセッサはさらにＤ（ｉ，ｊ）を次の式（６）、
【数６】
2008242458.tif 000025
に従い計算するよう構成され、式（６）中のα、Ｔ０およびＴ１は度で測定され、αは
定数、Ｔ０は基準温度を表し、Ｔ１は特定周囲温度を表し、ｆ（ｉ，ｊ）は開始グレーレ
ベルｉおよび目標グレーレベルｊの関数であることを特徴とする請求項１６に記載の液晶
ディスプレイ内の温度変動を補正するシステム。
【請求項１８】
Ｄ（ｉ，ｊ）の計算はさらに、
【数７】
2008242458.tif 000026
式（７）を含み、
式（７）中のｋ1、ｋ2、ｋ3およびｋ4は定数であり、
【数８】
2008242458.tif 000027
式（８）中のαrおよびαfは度で測定される定数であることを特徴とする請求項１７に
記載の液晶ディスプレイ内の温度変動を補正するシステム。
【請求項１９】
液晶ディスプレイ内の１つ以上の液晶に適用されるオーバドライブ・パラメータを決定
するためのオーバドライブ・モジュールにおいて、温度変動を補正するためのオーバドラ
イブ・パラメータを決定する方法を実施するよう構成されるコンピュータ・プログラム製
品で、コンピュータ・プログラム製品はプロセッサにより実行されるとオーバドライブ・
モジュールに、
周囲温度を得させ、
複数のオーバドライブ・パラメータを含むルックアップ表からオーバドライブ・パラメ
ータを抽出させ、各オーバドライブ・パラメータは第１フレームおよび第２フレーム間の
グレーレベル遷移に対応し、グレーレベル遷移に対し望ましい応答時間を達成するために
液晶が駆動されるレベルを表し、ルックアップ表のオーバドライブ・パラメータは基準温
度で較正され、
温度適応アルゴリズムをルックアップ表から抽出されたオーバドライブ・パラメータに
適用して適応オーバドライブ・パラメータを決定させ、温度適応アルゴリズムは少なくと
も周囲温度、基準温度、開始グレーレベル、および目標グレーレベルの関数であること、
を実施させるコンピュータ実行可能な命令を格納する１つ以上のコンピュータ読み取り
可能な媒体を含むことを特徴とするコンピュータ・プログラム製品。
【請求項２０】
各々異なった基準温度で較正され各々複数のオーバドライブ・パラメータを有する複数
のルックアップ表を特定し、周囲温度に関係する温度で較正されるルックアップ表を選択
する、命令を含むことを特徴とする請求項１９に記載のコンピュータ・プログラム製品。
【請求項２１】
温度適応アルゴリズムは適応オーバドライブ・パラメータＭT1（ｉ，ｊ）を次の式（９
）、
【数９】
2008242458.tif 000028
に従い計算し、式（９）中のＭT0（ｉ，ｊ）は開始グレーレベルｉおよび目標グレーレ
ベルｊのルックアップ表から抽出されるオーバドライブ・パラメータで、Ｄ（ｉ，ｊ）は
特定周囲温度および基準温度間の差を補正する補正パラメータであることを特徴とする請
求項１９に記載のコンピュータ・プログラム製品。
【請求項２２】
温度適応アルゴリズムはさらにＤ（ｉ，ｊ）を次の式（１０）、
【数１０】
2008242458.tif 000029
に従い計算し、式（１０）中のα、Ｔ０およびＴ１は度で測定され、αは定数、Ｔ０は
基準温度を表し、Ｔ１は特定周囲温度を表し、ｆ（ｉ，ｊ）は開始グレーレベルｉおよび
目標グレーレベルｊの関数であることを特徴とする請求項２１に記載のコンピュータ・プ
ログラム製品。
【請求項２３】
Ｄ（ｉ，ｊ）の計算はさらに、
【数１１】
2008242458.tif 000030
式（１１）を含み、
式（１１）中のｋ1、ｋ2、ｋ3およびｋ4は定数であり、
【数１２】
2008242458.tif 000031
式（１２）中のαrおよびαfは度で測定される定数であることを特徴とする請求項２２
に記載のコンピュータ・プログラム製品。
【発明の詳細な説明】
【技術分野】
【０００１】
本発明は一般的に表示装置を駆動する方法および装置に関する。より具体的に、本発明
は液晶ディスプレイの応答速度を向上させる方法およびシステムに関する。
【背景技術】
【０００２】
液晶ディスプレイ（ＬＣＤ）はフラット・パネル型テレビ、コンピュータ画面、携帯電
話ディスプレイ等々など、多数の製品に幅広く使用されている。液晶に共通する欠点の１
つは急速に変わる画像に対し迅速かつ一貫して応答できないことである。液晶の応答速度
は遅いこともあり、液晶により実現される開始および目標グレーレベルにより変わり得る
。この遅い応答は粗悪なビデオ画質をもたらし得る。
【０００３】
液晶の応答の遅さを補正するために、１つの手法はフレーム遷移の際、ピクセルの変化
に増幅定数、または「オーバドライブ」電圧、を適用する。これにより目標フレームに到
達するために必要とする時間を調節し、よってＬＣＤパネルの動画質を向上させ、動きの
ぶれを低減する。
【０００４】
この手法では、各種の異なった開始グレーレベルおよび目標グレーレベルに対応するオ
ーバドライブ・レベルのルックアップ表が作成される。選考フレームの開始グレーレベル
および現行フレームの目標グレーレベルに対応するオーバドライブ・パラメータがルック
アップ表から取り出される。この取り出されたオーバドライブ・パラメータは次に液晶が
適切な応答時間を実現すべく液晶に適用される。
【０００５】
【特許文献１】米国特許出願公開第２００１／００４３２０５号明細書
【発明の開示】
【発明が解決しようとする課題】
【０００６】
液晶の応答時間は周囲温度により変化するので適切なオーバドライブ・パラメータを選
ぶのは難しいこともある。従って単独のルックアップ表に格納されるオーバドライブ・パ
ラメータは単独の周囲温度においてのみ有効である。モバイルの表示パネルは比較的幅広
い温度変動に晒されるので、温度変動は特に問題となる。
【０００７】
この問題に対する１つの解決法は異なった温度設定で較正されたオーバドライブ・デー
タを複数のルックアップ表に格納することである。各ルックアップ表は異なった温度環境
において液晶の正確なかつ信頼性のある応答時間を達成するために、異なった温度設定に
対し較正される。しかし、この解決法はオーバドライブ・プロセスが必要とするメモリ帯
域幅を必然的に増加させ、それによりオーバドライブ装置のメモリ・コストを押し上げる
。この方法はリソースが限定されるシステムで稼動するアプリケーションに対し実現可能
でないかもしれない。
【０００８】
本明細書で主張される要旨は不都合を解決するか、または上述のような環境においての
み作動するような実施形態に限定されるものではない。逆に、本背景は本明細書で説明さ
れるいくつかの実施形態が実施され得る１つの代表的な技術分野を例示するためにのみ提
供される。
【課題を解決するための手段】
【０００９】
本発明の実施形態の一例はＬＣＤ装置を駆動させる際の温度変動を補正する方法に向け
られる。例示される方法を実施する際、単独の基準温度で計算された複数の「オーバドラ
イブ」パラメータを含む単独の基準ルックアップ表を用いることができる。オーバドライ
ブ・パラメータは第１フレーム（すなわち開始グレーレベル）および第２フレーム（すな
わち目標グレーレベル）間の各種の異なったグレーレベル遷移に対する望ましい応答時間
を達成するために液晶を駆動すべきレベルを表す。
【００１０】
例示的な一実施形態で、液晶付近の周囲温度が測定される。液晶の開始レベルに対応す
るオーバドライブ・パラメータおよび液晶の目標グレーレベルが次にルックアップ表から
抽出される。温度適応アルゴリズムが抽出されたオーバドライブ・パラメータに適用され
、「適応オーバドライブ・パラメータ」が決定される。この適応オーバドライブ・パラメ
ータは測定された周囲温度と基準温度との差を調節する。次に適応オーバドライブ・パラ
メータを用いてＬＣＤを駆動し、望ましい応答を達成する。この方法の一利点は単独のル
ックアップ表だけしか必要としないことである。これにより異なった基準温度で較正され
る複数のルックアップ表により必要となる余分なコストと効率の悪さが排除される。
この一般的な方法の変形も例示される。例えば別の実施形態で、液晶付近の周囲温度が
測定され、複数のオーバドライブ・パラメータを含むルックアップ表からオーバドライブ
・パラメータが抽出される。上述のように単独のルックアップ表を用いることもできるが
、別の方法においてルックアップ表は各々異なった基準温度で較正される２つ以上のルッ
クアップ表から選ぶことができる。選ばれたルックアップ表は例えば基準温度が測定周囲
温度に最も近い表であることができる。ルックアップ表から抽出されたオーバドライブ・
パラメータに温度適応アルゴリズムを適用して適応オーバドライブ・パラメータを計算す
ることができる。
【００１１】
温度適応アルゴリズムは例えば測定周囲温度、基準温度、開始グレーレベル、および目標
グレーレベルを含むいくつかの係数の関数であることができる。これにより、適応アルゴ
リズムは測定周囲温度とオーバドライブ・パラメータを提供するために用いられたルック
アップ表の基準温度との間に存在し得る差異を考慮に入れる。
【００１２】
本発明の例示される実施形態はさらにＬＣＤ装置内の温度変動を補正するよう構成され
るシステムに向けられる。システムの一例において、周囲温度を測定する温度センサが液
晶付近に提供される。メモリを用いて複数のオーバドライブ・パラメータを含むルックア
ップ表を格納する。ルックアップ表内の各オーバドライブ・パラメータは先行フレームと
現行フレームとの間のグレーレベル遷移に対応し、ある基準温度におけるグレーレベル遷
移に望ましい応答時間を達成するために液晶が駆動されるべきレベルを表す。ルックアッ
プ表からプロセッサが先行フレームと現行フレームとの間のグレーレベル遷移に対応する
オーバドライブ・パラメータを抽出する。次に、プロセッサは測定周囲温度と基準温度と
の間の差異を調節する適応オーバドライブ・パラメータを計算する。得られる適応オーバ
ドライブ・パラメータは異なった基準温度で較正される複数のルックアップ表を必要とせ
ず望ましい応答時間を達成し、それにより過度のメモリ容量の必要が低減される。
【００１３】
本発明の液晶ディスプレイ装置を駆動する方法は、周囲温度を特定することと、複数の
オーバドライブ・パラメータを含むルックアップ表からオーバドライブ・パラメータを抽
出することで、各オーバドライブ・パラメータは第１フレームおよび第２フレーム間のグ
レーレベル遷移に対応し、グレーレベル遷移に対し望ましい応答時間を達成するために液
晶が駆動されるレベルを表すことと、温度適応アルゴリズムをルックアップ表から抽出さ
れたオーバドライブ・パラメータに適用し、特定周囲温度および抽出されたオーバドライ
ブ・パラメータが較正される基準温度間の差に対し調節する適応オーバドライブ・パラメ
ータを決定することと、を含むことをその要旨とする。
【００１４】
本発明の液晶ディスプレイ装置を駆動する方法は、温度適応アルゴリズムにより決定さ
れた適応オーバドライブ・パラメータは特定周囲温度で較正されたオーバドライブ・パラ
メータに近似することをその要旨とする。
【００１５】
本発明の液晶ディスプレイ装置を駆動する方法は、温度適応アルゴリズムは線形パラメ
トリック・サーフェス・モデルを利用することをその要旨とする。
【００１６】
本発明の、液晶ディスプレイ装置を駆動する方法は、温度適応アルゴリズムにより決定
された適応オーバドライブ・パラメータは得られたグレーレベル遷移エラーの約９５％を
超えて「最小弁別値」（ＪＮＤ）の閾値未満に維持する応答時間を達成することをその要
旨とする。
【００１７】
本発明の、液晶ディスプレイ装置を駆動する方法は、ルックアップ表は複数の開始グレ
ーレベルを複数の目標グレーレベルにマップすること含み、各オーバドライブ・パラメー
タは１つの開始グレーレベルおよび１つの目標グレーレベル間のグレーレベル変動に対応
し、開始グレーレベルおよび目標グレーレベルはゼロ（０）と１の間で正規化されること
をその要旨とする。
【００１８】
本発明の、液晶ディスプレイ装置を駆動する方法は、温度適応アルゴリズムは適応オー
バドライブ・パラメータＭT1（ｉ，ｊ）を次の式（１）、
【００１９】
【数１】
2008242458.tif 000003
に従い計算し、式（１）中のＭT0（ｉ，ｊ）は開始グレーレベルｉおよび目標グレーレ
ベルｊのルックアップ表から抽出されるオーバドライブ・パラメータで、Ｄ（ｉ，ｊ）は
特定周囲温度および基準温度間の差を補正する補正パラメータであることをその要旨とす
る。
【００２０】
本発明の、液晶ディスプレイ装置を駆動する方法は、温度適応アルゴリズムはさらにＤ
（ｉ，ｊ）を次の式（２）、
【００２１】
【数２】
2008242458.tif 000004
に従い計算し、式（２）中のα、Ｔ０およびＴ１は度で測定され、αは定数、Ｔ０は基
準温度を表し、Ｔ１は特定周囲温度を表し、ｆ（ｉ，ｊ）は開始グレーレベルｉおよび目
標グレーレベルｊの関数であることをその要旨とする。
【００２２】
本発明の、Ｄ（ｉ，ｊ）の計算はさらに、
【００２３】
【数３】
2008242458.tif 000005
式（３）を含み、
式（３）中のｋ1、ｋ2、ｋ3およびｋ4は定数であり、
【００２４】
【数４】
2008242458.tif 000006
式（４）中のαrおよびαfは度で測定される定数であることをその要旨とする。
【００２５】
本発明の、液晶ディスプレイ装置を駆動する方法は、ｋ1、ｋ2、ｋ3、ｋ4、αrおよび
αfは各々独自の液晶ディスプレイ装置に対しカスタム化でき、温度適応アルゴリズムと
、各温度における較正を用いて得られた実際のルックアップ表との間のエラーを最小化す
ることにより決定されることをその要旨とする。
【００２６】
本発明の、液晶ディスプレイ内の温度変動を補正するシステムは、周囲温度を測定する
よう構成される温度センサと、複数のオーバドライブ・パラメータを含むルックアップ表
を格納するよう構成されるメモリで、各オーバドライブ・パラメータは先行フレームおよ
び後続フレーム間のグレーレベル遷移に対応し、グレーレベル遷移に対し望ましい応答時
間を達成するために液晶が駆動されるレベルを表し、ルックアップ表のオーバドライブ・
パラメータは基準温度で較正されるメモリと、ルックアップ表から先行フレームおよび後
続フレーム間のグレーレベル遷移に対応するオーバドライブ・パラメータを抽出するよう
構成され、さらに測定周囲温度および抽出されたオーバドライブ・パラメータが較正され
る基準温度間の差を調節する適応オーバドライブ・パラメータを計算するよう構成される
プロセッサと、を含むことをその要旨とする。
【００２７】
本発明の、液晶ディスプレイ内の温度変動を補正するシステムは、さらに、ビデオ信号
を赤・青・緑（ＲＧＢ）から輝度・帯域・クロミナンス（ＹＵＶ）の色空間に変換するよ
う構成される第１変換モジュールで、プロセッサの入力に連結される入力を有する第１変
換モジュールと、ビデオ信号をＹＵＶからＲＧＢの色空間に変換するよう構成される第２
変換モジュールで、プロセッサの出力に連結される入力を有する第２変換モジュールと、
を含むことをその要旨とする。
【００２８】
本発明の、液晶ディスプレイ内の温度変動を補正するシステムは、さらに、第２変換モ
ジュールの出力を表示するよう構成される液晶ディスプレイを含むことをその要旨とする
。
【００２９】
本発明の、液晶ディスプレイ内の温度変動を補正するシステムは、プロセッサはさらに
適応オーバドライブ・パラメータを計算するために必要とする演算の数を最小化するプロ
セッサ最適化実施を用いるよう構成されることをその要旨とする。
【００３０】
本発明の、液晶ディスプレイ内の温度変動を補正するシステムは、プロセッサはさらに
ルックアップ表のデータを補間することによりプロセッサが使用するメモリ帯域を最小化
するメモリ最適化実施を用いるよう構成されることをその要旨とする。
【００３１】
本発明の、液晶ディスプレイ内の温度変動を補正するシステムは、ルックアップ表は複
数の開始グレーレベルを複数の目標グレーレベルにマップすること含み、各オーバドライ
ブ・パラメータは１つの開始グレーレベルおよび１つの目標グレーレベル間のグレーレベ
ル変動に対応し、開始グレーレベルおよび目標グレーレベルはゼロ（０）と１の間で正規
化されることをその要旨とする。
【００３２】
本発明の、液晶ディスプレイ内の温度変動を補正するシステムは、プロセッサはさらに
適応オーバドライブ・パラメータＭT1（ｉ，ｊ）を次の式（５）、
【００３３】
【数５】
2008242458.tif 000007
に従い計算するよう構成され、式（５）中のＭT0（ｉ，ｊ）は開始グレーレベルｉおよ
び目標グレーレベルｊのルックアップ表から抽出されるオーバドライブ・パラメータで、
Ｄ（ｉ，ｊ）は特定周囲温度および基準温度間の差を補正する補正パラメータであること
をその要旨とする。
【００３４】
本発明の、液晶ディスプレイ内の温度変動を補正するシステムは、プロセッサはさらに
Ｄ（ｉ，ｊ）を次の式（６）、
【００３５】
【数６】
2008242458.tif 000008
に従い計算するよう構成され、式（６）中のα、Ｔ０およびＴ１は度で測定され、αは
定数、Ｔ０は基準温度を表し、Ｔ１は特定周囲温度を表し、ｆ（ｉ，ｊ）は開始グレーレ
ベルｉおよび目標グレーレベルｊの関数であることをその要旨とする。
【００３６】
本発明の、液晶ディスプレイ内の温度変動を補正するシステムは、Ｄ（ｉ，ｊ）の計算
はさらに、
【００３７】
【数７】
2008242458.tif 000009
式（７）を含み、
式（７）中のｋ1、ｋ2、ｋ3およびｋ4は定数であり、
【００３８】
【数８】
2008242458.tif 000010
式（８）中のαrおよびαfは度で測定される定数であることをその要旨とする。
【００３９】
本発明の、液晶ディスプレイ内の１つ以上の液晶に適用されるオーバドライブ・パラメ
ータを決定するためのオーバドライブ・モジュールにおいて、温度変動を補正するための
オーバドライブ・パラメータを決定する方法を実施するよう構成されるコンピュータ・プ
ログラム製品は、コンピュータ・プログラム製品はプロセッサにより実行されるとオーバ
ドライブ・モジュールに、周囲温度を得させ、複数のオーバドライブ・パラメータを含む
ルックアップ表からオーバドライブ・パラメータを抽出させ、各オーバドライブ・パラメ
ータは第１フレームおよび第２フレーム間のグレーレベル遷移に対応し、グレーレベル遷
移に対し望ましい応答時間を達成するために液晶が駆動されるレベルを表し、ルックアッ
プ表のオーバドライブ・パラメータは基準温度で較正され、温度適応アルゴリズムをルッ
クアップ表から抽出されたオーバドライブ・パラメータに適用して適応オーバドライブ・
パラメータを決定させ、温度適応アルゴリズムは少なくとも周囲温度、基準温度、開始グ
レーレベル、および目標グレーレベルの関数であること、を実施させるコンピュータ実行
可能な命令を格納する１つ以上のコンピュータ読み取り可能な媒体含むことをその要旨と
する。
【００４０】
本発明のコンピュータ・プログラム製品は、さらに、実行されると、各々異なった基準
温度で較正され各々複数のオーバドライブ・パラメータを有する複数のルックアップ表を
特定し、周囲温度に関係する温度で較正されるルックアップ表を選択する、命令を含むこ
とをその要旨とする。
【００４１】
本発明のコンピュータ・プログラム製品は、温度適応アルゴリズムは適応オーバドライ
ブ・パラメータＭT1（ｉ，ｊ）を次の式（９）、
【００４２】
【数９】
2008242458.tif 000011
に従い計算し、式（９）中のＭT0（ｉ，ｊ）は開始グレーレベルｉおよび目標グレーレ
ベルｊのルックアップ表から抽出されるオーバドライブ・パラメータで、Ｄ（ｉ，ｊ）は
特定周囲温度および基準温度間の差を補正する補正パラメータであることをその要旨とす
る。
【００４３】
本発明のコンピュータ・プログラム製品は、温度適応アルゴリズムはさらにＤ（ｉ，ｊ
）を次の式（１０）、
【００４４】
【数１０】
2008242458.tif 000012
に従い計算し、式（１０）中のα、Ｔ０およびＴ１は度で測定され、αは定数、Ｔ０は
基準温度を表し、Ｔ１は特定周囲温度を表し、ｆ（ｉ，ｊ）は開始グレーレベルｉおよび
目標グレーレベルｊの関数であることをその要旨とする。
【００４５】
本発明のコンピュータ・プログラム製品は、Ｄ（ｉ，ｊ）の計算はさらに、
【００４６】
【数１１】
2008242458.tif 000013
式（１１）を含み、
式（１１）中のｋ1、ｋ2、ｋ3およびｋ4は定数であり、
【００４７】
【数１２】
2008242458.tif 000014
式（１２）中のαrおよびαfは度で測定される定数であることをその要旨とする。
【００４８】
以下に続く説明においてさらなる特長が記述され、一部説明により明らかになり、また
は本明細書における教示の実施により学ぶことができる。発明の特長は特に添付特許請求
の範囲で指摘される手段および組み合わせにより実現し、求められる。本発明の特長は以
下の説明および添付特許請求の範囲からより明らかになり、または以下に記述される発明
の実施により学ぶことができる。
【発明を実施するための最良の形態】
【００４９】
本発明の特長をさらに明確にするために、添付図面に図示される具体的な実施形態を参
照して発明のより具体的な説明が提供される。これらの図面は発明の実施形態の例を描写
するだけであり、従って発明の犯意を限定するとはみなされないことが理解されよう。発
明は添付図面を用いることによりさらに具体的にかつ詳細に記述され説明される。
【００５０】
以下の好ましい実施形態の詳細な説明において、本明細書の一部をなし、発明を実施で
きる具体的な実施形態を例示する添付図面が参照される。本発明の範囲から逸脱すること
なく他の実施形態を利用し、構造上の変更をなし得ることが理解されよう。
【００５１】
本発明の実施形態例はオーバドライブ・パラメータのルックアップ表から液晶に適用さ
れるオーバドライブ・パラメータを計算するための温度適応アルゴリズムに関する。本明
細書に説明される温度適応アルゴリズムは１つだけのルックアップ表を用いて広範囲な温
度に対しオーバドライブ・パラメータを計算することができる。１つだけのルックアップ
表を用いることにより、メモリ帯域幅が節約され、それによりオーバドライブ・パラメー
タを計算するために用いられるオーバドライブ装置のメモリ・コストが削減する。開示さ
れる実施形態は１つだけルックアップ表を用いることができると説明されるが、これらの
概念は複数のルックアップ表を用いるシステムにおいても同様に適用できることが理解さ
れよう。
【００５２】
前述のとおり、液晶の応答時間は一貫していないこともあり、しばしば１フレームの期
間より遅く、ＬＣＤにより呈される像がぶれることがある。オーバドライブ・コントロー
ラがしばしば用いられ、液晶に電圧を印加することによりＬＣＤ装置における液晶の応答
時間を向上させる。各液晶の応答時間は先行フレーム中に液晶が実現したグレーレベルと
現行フレーム中に液晶が実現すべきグレーレベルによって変わり得る。応答時間の差異を
補正するために、オーバドライブ・コントローラは通常グレーレベルの開始値と目標値の
各種組み合わせに対する複数のオーバドライブ・パラメータを含むルックアップ表からオ
ーバドライブ・パラメータを抽出する。
【００５３】
正確なオーバドライブ・パラメータを計算することは液晶の応答時間がＬＣＤ装置の周
囲温度に基づき変化するという事実により複雑になっている。従って、ＬＣＤ装置により
表示される像の明瞭さを確保するために、オーバドライブ・パラメータは温度の変動を補
正するよう調節されなければならない。図１（ａ）〜図１（ｄ）は１０℃、２５℃、およ
び４０℃で測定されたＬＣＤテスト・パネル例の輝度応答波形を示す。この例の波形６−
タップのウェーブレット・ノイズ除去フィルタで処理され、０と１の間で正規化されてい
る。各図の３つの応答曲線は同じオーバドライブ・パラメータを用いて３つの異なった温
度で液晶を駆動することに由来する。
【００５４】
図１（ａ）はグレーレベル開始値がゼロでグレーレベル目標値が２５５である液晶の正
規化黒−白応答を図示し、図１（ｂ）はグレーレベル開始値が２５５でグレーレベル目標
値がゼロである液晶の正規化白−黒応答を図示する。グレーレベル開始値は現行フレーム
の液晶グレーレベルを指し、グレーレベル目標値は次に生成されるフレームの液晶グレー
レベルを指す。図１（ａ）および図１（ｂ）は応答挙動の変化が２５℃と４０℃との間で
は比較的小さいのに対し、１０℃において遷移時間が目に見えて増加することを示す。言
い換えれば、ディスプレイは温度が１０℃から２５℃に上昇する間かなり敏感になり、温
度が２５℃から４０℃に上昇する間わずかしか速くならない。
【００５５】
図１（ｃ）はグレーレベル開始値が９５でグレーレベル目標値が２２３である液晶の正
規化グレー−グレー応答を図示し、図１（ｄ）はグレーレベル開始値が２２３でグレーレ
ベル目標値が９５である液晶の正規化グレー−グレー応答を図示する。図１（ａ）および
図１（ｂ）と比べると、グレー−グレー遷移について応答挙動の変化は温度範囲にわたり
より均一に分布されている。応答は温度が１０℃から２５℃へ、さらには２５℃から４０
℃へ変化するにつれ次第に速くなる。
【００５６】
図２（ａ）〜図２（ｄ）は液晶の例における正しい応答時間を得るために用いられるオ
ーバドライブ・パラメータに対し温度変動がどのように影響し得るかの例を提供する。特
に図２（ａ）および図２（ｂ）は温度が第１温度から第２温度に変化する時に較正された
オーバドライブ・パラメータ各々が経る変化の量を示す表である。図２（ａ）および図２
（ｂ）はグレーレベル開始値２０４の範囲とグレーレベル目標値２０２の範囲を含む。グ
レー開始レベル２０４およびグレー目標レベル２０２の各組み合わせにつきそのグレーレ
ベル変動に対し正しい応答時間を提供するように較正されるオーバドライブ・パラメータ
が通常割り当てられる。図２（ａ）および図２（ｂ）は実際のオーバドライブ・パラメー
タ自体を示すのではなく、周囲温度が変化するにつれ各オーバドライブ・パラメータが経
る変化の量を示している。図２（ａ）〜図２（ｄ）に図示される例は３０Ｈｚのフレーム
率を用いている。
【００５７】
具体的に、図２（ａ）は周囲温度が４０℃から１０℃に変化するにつれオーバドライブ
・パラメータ２０８が経る変化の量を示す。例えば、グレーレベル開始値が９５でグレー
レベル目標値が２２３の液晶は周囲温度が４０℃から１０℃に変化するにつれ＋５の変化
が起こる。
【００５８】
図２（ｂ）は周囲温度が４０℃から２５℃に変化するにつれオーバドライブ・パラメー
タ２０８が経る変化の量を示す。例えば、グレーレベル開始値が９５でグレーレベル目標
値が２２３の液晶は周囲温度が４０℃から２５℃に変化するにつれ＋２の変化が起こる。
【００５９】
図２（ｃ）および図２（ｄ）はある基準温度で較正されるルックアップ表を用いて異な
った周囲温度で動作する液晶をオーバドライブする場合に導入される目標輝度の推定エラ
ーを含む表である。具体的に、図２（ｃ）は２５℃で較正されたオーバドライブ・パラメ
ータのルックアップ表を周囲温度が１０℃で動作する液晶に対し用いた場合に導入される
グレーレベル遷移の推定エラーを含む表を示す。図２（ｃ）に示すように、４０℃で較正
されたルックアップ表を１０℃で用いた場合の最大推定エラーは±１０で平均エラーは３
．４７である。図２（ｄ）は４０℃で較正されたオーバドライブ・パラメータのルックア
ップ表を周囲温度が１０℃で動作する液晶に対し用いた場合に導入されるグレーレベル遷
移の推定エラーを含む表を示す。図２（ｃ）に示すように、２５℃で較正されたルックア
ップ表を１０℃で用いた場合の最大推定エラーは±７で平均エラーは２．１９である。
【００６０】
図２（ａ）〜図２（ｄ）に示されるように、あるグレーレベル遷移について、目標レベ
ルに到達するために必要なオーバドライブの量は温度が４０℃から１０℃に下がるにつれ
一般的に増える。この観察は図１（ａ）〜図１（ｄ）に図示される応答時間のグラフと一
貫している。図２（ａ）および図２（ｂ）はさらに温度変化は一般的に較正されたオーバ
ドライブ・レベルに対し単調化効果があり、グレーレベル遷移が輝度スペクトルの端に近
づくにつれより大きい変動が観察される。
【００６１】
前述のとおり、温度変動を補正するための従来の方法の１つは異なった温度設定に対し
複数のルックアップ表を較正し格納することである。しかし、これはオーバドライブ・プ
ロセスが必要とするメモリ帯域幅を必然的に増やすことになる。限定されたリソースで稼
動する末端アプリケーションにとって、この方法は実現可能でないかもしれない。複数の
ルックアップ表を格納する代わりに、本発明の開示される実施形態は単独の基準ルックア
ップ表から任意の周囲温度においてオーバドライブ・パラメータを推定する手法を利用す
る。
【００６２】
次に図３を見ると、オーバドライブ・モジュールの一例が図示され、オーバドライブ・
モジュール３００で一般的に特定される。図示されるオーバドライブ・モジュール３００
は単独のルックアップ表を用いてある周囲温度に対しカスタマイズされたオーバドライブ
・パラメータを決定する。オーバドライブ・モジュール３００は赤・青・緑（ＲＧＢ）か
ら輝度・帯域・クロミナンス（ＹＵＶ）へのＲＧＢ→ＹＵＶコンバータ３０６、プロセッ
サ３０８、ＹＵＶからＲＧＢへのＹＵＶ→ＲＧＢコンバータ３１０、フレーム・メモリ３
０２、およびルックアップ表メモリ３０４を含む。プロセッサ３０８は温度センサ３１２
から周囲温度測定を受信する。
【００６３】
ＲＧＢからＹＵＶへのＲＧＢ→ＹＵＶコンバータ３０６はＲＧＢコンポーネント・ビデ
オ信号を受信し、ＲＧＢコンポーネント信号をＹＵＶ色空間に転換する。プロセッサ３０
８はＹＵＶ信号を受信し、液晶の望ましい応答時間が達成されるよう適切なオーバドライ
ブ・パラメータを計算する。オーバドライブ・パラメータを計算するために、プロセッサ
３０８はフレーム・メモリ３０２およびルックアップ表メモリ３０４に格納されたデータ
を利用する。液晶の応答時間は温度に依存するので、プロセッサ３０８は温度変動を補正
するために温度センサ３１２からの温度測定も受信する。オーバドライブ・パラメータが
計算される温度適応オーバドライブ手法の一例を以下に詳細に説明する。
【００６４】
フレーム・メモリ３０２は少なくとも先行フレームおよび現行フレームのグレーレベル
・データを格納することができる。ルックアップ表メモリ３０４はさらに詳細に後述され
るように、基準温度で較正されたオーバドライブ・パラメータを含む少なくとも１つのル
ックアップ表を格納する。フレーム・メモリ３０２およびルックアップ表メモリ３０４は
２つの異なったメモリ・デバイスに分かれているように図示されるが、フレーム・データ
およびルックアップ表データは１つの記憶装置に格納することもできる。同様に、フレー
ム・メモリ３０２、ルックアップ表メモリ３０４、およびプロセッサ３０８も１つのデバ
イスに統合することができる。
【００６５】
温度適応オーバドライブの計算手法を用いて適切なオーバドライブ・パラメータを決定
した後、プロセッサ３０８はオーバドライブされたＹＵＶ信号をＹＵＶからＲＧＢへのＹ
ＵＶ→ＲＧＢコンバータ３１０に出力し、後者はＹＵＶ信号をＲＧＢコンポーネント信号
に転換する。ＲＧＢフレームは次にＬＣＤパネルに送信され表示される。通常の当業者で
あれば理解するように、ＲＧＢからＹＵＶへのＲＧＢ→ＹＵＶコンバータ３０６およびＹ
ＵＶからＲＧＢへのＹＵＶ→ＲＧＢコンバータ３１０はすべての装置に必要ではないかも
しれない。ＬＣＤ装置によってはＳ−ビデオ、色調・彩度・明度（ＨＳＬ）、色調・彩度
・値（ＨＳＶ）等々などの他のビデオ・フォーマットを用い、その場合他種のコンバータ
を用いることができる。
【００６６】
図示されるオーバドライブ・モジュール３００は単独のルックアップ表に基づき広範囲
の温度に対しオーバドライブ・パラメータを決定することができる。ルックアップ表メモ
リ３０４に格納されるルックアップ表は既知の基準温度において較正される。言い換えれ
ば、単独のルックアップ表内に格納されるオーバドライブ・パラメータを用いて基準温度
において液晶の望ましい応答時間を達成することができる。プロセッサ３０８はあるグレ
ーレベル開始値およびグレーレベル目標値に対するオーバドライブ・パラメータを抽出す
る。プロセッサ３０８は次に基準温度と温度センサ３１２により測定される実際の周囲温
度との差を考慮に入れた調節オーバドライブ・パラメータを計算するために抽出されたオ
ーバドライブ・パラメータに温度適応アルゴリズムを適用する。グレーレベル開始および
目標値、周囲温度、単独ルックアップ表の基準温度、ＬＣＤディスプレイの固有の特性、
等々を含み、１つ以上の要素を調節オーバドライブ・パラメータ計算に考慮することがで
きる。
【００６７】
プロセッサ３０８はオーバドライブ・パラメータの計算を最適化するために各種の手法
を用いることができる。例えば一実施形態で、プロセッサ３０８はプロセッサ最適化実施
手法を利用する。プロセッサ最適化実施手法はオーバドライブ計算を完了するのに必要な
演算数を最小化する。あるいは、プロセッサ３０８はメモリ最適化実施手法を利用してオ
ーバドライブ・モジュールにより用いられるメモリ帯域幅を最小化することができる。例
えば、ルックアップ表のオーバドライブ・データはメモリ利用を最小化するために補間す
ることができる。
【００６８】
単独のルックアップ表から調節オーバドライブ・パラメータを決定するために用いられ
る公式および手法の実施形態例を次に説明する。以下に提供される例に加え、単独の基準
ルックアップ表からオーバドライブ・パラメータを計算するために本発明の範囲に含まれ
るさらに多くの手法および公式を用いることができる。
【００６９】
図４に図示される一実施形態で、基準ルックアップ表のグレーレベル開始値および目標
値は後の計算を簡略化するためにゼロから１の間で正規化される。例えば、典型的な液晶
は２５６の別個のグレーレベル値（すなわち０〜２５５）を割り当てられるかもしれない
。図４に示されるように、正規化座標は開始グレーレベルＧＳから目標グレーレベルＧＴ
までのグレーレベル遷移を含むことができ、ここで（ｉ，ｊ）∈［０，１］、ＧＳ＝ｉ×
２５５、およびＧＴ＝ｊ×２５５である。正規化ルックアップ表の使用は必ずしも必要な
く、正規化ルックアップ表が用いられない場合以下に説明される手法および公式は変更す
ることができる。
【００７０】
一実施形態で、プロセッサ３０８は基準温度Ｔ０と周囲温度Ｔ１との差を補正するオー
バドライブ・パラメータを計算する。温度適応オーバドライブ・アルゴリズムは線形パラ
メトリック・サーフェス・モデルに基づくことができる。例えば、オーバドライブ・パラ
メータＭT1（ｉ，ｊ）は次の方程式に従い計算することができる。
【００７１】
【数１３】
2008242458.tif 000015
ＭT0（ｉ，ｊ）は基準温度Ｔ０で較正された単独のルックアップ表から抽出されたオー
バドライブ・パラメータである。抽出されたオーバドライブ・パラメータは開始グレーレ
ベルｉおよび目標グレーレベルｊに対応する。Ｄ（ｉ，ｊ）は測定された周囲温度と基準
温度との差を補正する補正パラメータである。測定温度における差を補正するよう、補正
パラメータＤ（ｉ，ｊ）はさまざまな方法で計算することができる。
【００７２】
例えば一実施形態で、補正パラメータＤ（ｉ，ｊ）はプロセッサ３０８により次の方程
式に従い計算される。
【００７３】
【数１４】
2008242458.tif 000016
α、Ｔ０およびＴ１は度で測定され、αは定数、Ｔ０は基準温度を表し、Ｔ１は測定温
度を表す。言い換えれば、Ｄ（ｉ，ｊ）は基準温度および測定温度間の温度差を明らかに
するオフセットである。定数αは結果として得られるオーバドライブ・パラメータと測定
温度に対し較正されたオーバドライブ・パラメータとの差異を最小化するように設定する
ことができる。さらに、定数αはＬＣＤディスプレイ各々で異なることができる。
【００７４】
別の実施形態で、補正パラメータＤ（ｉ，ｊ）はさらに開始グレーレベルおよび目標グ
レーレベルを考慮に入れる。例えば、Ｄ（ｉ，ｊ）はプロセッサ３０８により次の方程式
に従い計算することができる。
【００７５】
【数１５】
2008242458.tif 000017
得られるオーバドライブ・パラメータと測定周囲温度において較正されたオーバドライ
ブ・パラメータとの間のエラーを最小化するためにより正確な補正パラメータＤ（ｉ，ｊ
）を得るよう、ｆ（ｉ，ｊ）は開始グレーレベルｉおよび目標グレーレベルｊ双方を考慮
に入れる多数の関数を含むことができる。
【００７６】
例えば一実施形態で、Ｄ（ｉ，ｊ）はプロセッサ３０８により次の方程式に従い計算さ
れる。
【００７７】
【数１６】
2008242458.tif 000018
式（１６）中のｋ1、ｋ2、ｋ3およびｋ4は定数であり、
【００７８】
【数１７】
2008242458.tif 000019
式（１７）中のαrおよびαfは度で測定される定数である。
【００７９】
従って、開始グレーレベル値ｉが目標グレーレベルｊ未満である場合、式（１）が用い
られ、目標グレーレベルｊが開始グレーレベル値ｉ未満である場合、式（２）が用いられ
る。αr、αf、ｋ1、ｋ2、ｋ3およびｋ4の値は式（１）で予測されるルックアップ表と測
定温度Ｔ１における較正を用いて得られた実際の表との間の全般的なエラーを最小化する
ことにより決定できる。一例で、薄膜トランジスタ（ＴＦＴ）クオーター・ビデオ・グラ
フィックス・アレイ（ＱＶＧＡ）ＬＣＤのテスト・パネルの推定パラメータ値はαr＝０
．３、αf＝−０．２、ｋ1＝１．５、ｋ2＝０．８、ｋ3＝７．２５およびｋ4＝−０．５
５である。
【００８０】
上述の手法を用いてＤ（ｉ，ｊ）を計算するとすべてのグレーレベル開始値および目標
値、ならびに一定範囲内のすべての温度についてオーバドライブ・パラメータを推定する
のに用いることのできる補正パラメータが得られる。得られた補正パラメータＤ（ｉ，ｊ
）は図２（ａ）および図２（ｂ）に図示される値と実質的に類似しているオーバドライブ
・パラメータのオフセットを提供する。言い換えれば、基準温度４０℃を有する単独のル
ックアップ表を用い、１０℃において補正パラメータＤ（ｉ，ｊ）を計算した場合、得ら
れる補正パラメータは図２（ａ）に図示されるように、周囲温度が４０℃から１０℃に変
化するにつれオーバドライブ・パラメータ２０６が受ける変化の量に実質的に類似してい
る。
【００８１】
本明細書で説明される開示実施形態を用い、基準温度において較正された単独のルック
アップ表を用いてオーバドライブ・パラメータを計算すると、グレーレベル遷移エラーは
「最小弁別値」（ＪＮＤ）認知度閾値未満のレベルに低減することができる。ＪＮＤは画
像符号化および透かしにおいて最低認知度閾値を定義するのに一般的に用いられる尺度で
、それ未満であると画像強度のエラーは感知できないとみなされる。特に、ウェーバーの
法則はＪＮＤと背景輝度との間の比率はΔＬ＝ｋＬと書くことができると述べ、ここでΔ
Ｌは強度の差、Ｌは背景輝度で、ｋは約０．０２の定数である。
【００８２】
ｋの値は極端な輝度値においてウェーバーの法則から逸脱することが見出されている。
常に一定である代わりに、ｋは暗いか、または明るい輝度状態において指数関数的に増加
する。図５に典型的なエラー認知度曲線５０２を示す。目標限界エラーをエラー認知度曲
線５０２未満に維持することにより、普通のユーザは画像強度におけるエラーを感知する
ことができない。
【００８３】
表５００はさらに４０℃で較正されるオーバドライブ・パラメータを含むルックアップ
表を温度差に対し何ら補正を実施せずに１０℃の周囲温度を有するＬＣＤディスプレイに
対し用いられた場合に生じる最大推定目標輝度エラー５０４を描いている。生じた目標輝
度エラー５０４は通常エラー認知度曲線５０２を超える。表５００にはさらに本明細書に
開示される温度適用オーバドライブ手法を用いて基準温度で較正される単独のルックアッ
プ表からオーバドライブ・パラメータを計算した場合に生じる最大推定目標輝度エラー５
０６が描かれる。本明細書で開示されるような温度適応オーバドライブ手法を用いて得た
目標輝度エラー５０６は殆どの場合５０２のエラー認知度曲線未満に維持される。本明細
書で説明される単独ルックアップ表の温度適応オーバドライブ手法を用いて温度変化につ
いて補正すると目標輝度エラーはかなり低減される。例を挙げると、周囲温度が４０℃か
ら１０℃に下がると、グレーレベル遷移エラー５０６の９８．６％は認知度閾値曲線未満
にあるのに対し、温度適応なしでは６６．７％である。
【００８４】
図６は周囲温度の変動に対し補正するオーバドライブ・パラメータを決定するの用いる
ことができる方法の態様の一実施形態を示す。方法６００はたとえばＬＣＤ内の１つ以上
の液晶に適用するオーバドライブ・パラメータを決定するためのオーバドライブ・モジュ
ール３００で実施することができる。オーバドライブ・モジュールは実行すると方法６０
０を実施するコンピュータ実行可能な命令を有する１つ以上のコンピュータ読み取り可能
な媒体を含むことができる。
【００８５】
方法６００はステップＳ６０２に始まり、液晶の周囲温度を測定する。方法６００はさ
らにステップＳ６０４において、ルックアップ表からオーバドライブ・パラメータを抽出
することを含む。ルックアップ表は複数のオーバドライブ・パラメータを含み、各オーバ
ドライブ・パラメータは第１フレームおよび第２フレーム間のグレーレベル遷移に対応す
る。例えば、再度図２（ａ）および図２（ｂ）を参照すると、グレーレベル遷移はグレー
レベル開始値２０４およびグレーレベル目標値２０２の各種組み合わせを指す。各オーバ
ドライブ・パラメータはグレーレベル遷移の望ましい応答時間を達成するために液晶が駆
動されるレベルを表す。単独のルックアップ表のオーバドライブ・パラメータはある基準
温度で較正される。言い換えれば、ルックアップ表は周囲温度が基準温度に等しい場合に
オーバドライブ・パラメータが望ましい応答時間を達成できるように較正される。
【００８６】
再度図６を参照すると、方法６００はステップＳ６０６に示されるように、ルックアッ
プ表から抽出されたオーバドライブ・パラメータに適応アルゴリズムを適用する。適応ア
ルゴリズムは測定周囲温度および基準温度間の差を調節する適応オーバドライブ・パラメ
ータを決定する。適応オーバドライブ・パラメータは抽出されたオーバドライブ・パラメ
ータが適応アルゴリズムにより変更されないで用いられた場合より正確に測定温度におい
て望ましい応答時間を達成することができる。
【００８７】
一実施形態で、適応アルゴリズムで決定された適応オーバドライブ・パラメータは測定
周囲温度で較正されたオーバドライブ・パラメータに近似する。従って方法６００は複数
の異なった温度で較正された複数のルックアップ表を用いる従来の手法に実質的に類似し
た適応オーバドライブ・パラメータを実現することができる。
【００８８】
一実施形態で、図示された方法６００の適応アルゴリズムはルックアップ表から測定温
度について適応パラメータを導き出すために線形パラメトリック・サーフェス・モデルを
利用する。別の実施形態で、方法６００で実現される適応パラメータは図５に関し記述さ
れたように、得られたすべてのグレーレベル遷移エラーの９５％を超えてＪＮＤの閾値未
満に維持する応答時間を達成する。
【００８９】
一実施形態で、方法６００の適応アルゴリズムは上述の式（１）を用いて適応オーバド
ライブ・パラメータを計算する。前記で説明されるように、適応アルゴリズムは測定温度
および基準温度間の差、グレーレベル開始値および目標値、各ＬＣＤディスプレイ固有の
変数、およびこれらの組み合わせを考慮に入れることができる。
【００９０】
方法６００は１つのみのルックアップ表を活用することにより相当なメモリ節約を提供
することができるが、方法６００の概念の多くは１つ以上のルックアップ表を用いるシス
テムにも同じように適用できる。例えば、また一実施形態で、単独のルックアップ表から
オーバドライブ・パラメータを抽出する代わりに、方法６００は各々異なった基準温度で
較正された複数のルックアップ表を特定し、オーバドライブ・パラメータを抽出するルッ
クアップ表を選ぶことができる。例えば、方法は測定周囲温度に最も近い温度で較正され
るルックアップ表を選択することができる。あるいは、方法６００は測定周囲温度に最も
近く、かつそれ未満にならない基準温度で較正されたルックアップ表を選択することがで
きる。
【００９１】
本実施形態で、ルックアップ表の１つを選択した後、オーバドライブ・パラメータを選
択されたルックアップ表から抽出することができる。次に、方法６００は選択されたルッ
クアップ表および測定周囲温度間の差を考慮すべくステップＳ６０６の適応アルゴリズム
を抽出されたオーバドライブ・パラメータに適用する。複数のルックアップ表が使用され
る場合でも、ルックアップ表の基準温度と測定周囲温度とに差が存在する可能性は高く、
従って本明細書で説明される適応アルゴリズムはまだ有用である。複数のルックアップ表
が用いられる場合、調節されたオーバドライブ・パラメータの計算に高度の正確さを維持
しながら最小数のルックアップ表が用いられるように複数のルックアップ表の基準温度を
選択することができる。
【００９２】
本明細書の実施形態は各種コンピュータ・ハードウェアの実施を含み特殊用途または汎
用コンピュータを含むことができる。実施形態はさらにコンピュータ実行可能な命令また
はデータ構造を格納したコンピュータ読み取り可能な媒体を含むことができる。このよう
なコンピュータ読み取り可能な媒体は汎用または特殊用途のコンピュータがアクセスでき
る任意の入手可能な媒体であって良い。限定することなく例を挙げると、このようなコン
ピュータ読み取り可能な媒体はＲＡＭ、ＲＯＭ、ＥＥＰＲＯＭ、ＣＤ−ＲＯＭ、もしくは
他の光ディスク記憶装置、磁気ディスク記憶装置もしくは他の磁気記憶装置、またはコン
ピュータ実行可能な命令またはデータ構造の形の、汎用または特殊用途のコンピュータが
アクセスできる、望ましいプログラム・コード手段を搭載または格納するために使用し得
る他の任意の媒体を含むことができる。情報がネットワークまたは他の通信接続（有線、
無線、または有線や無線の組み合わせ）を通じてコンピュータに移転または提供されると
、コンピュータは適切に接続をコンピュータ読み取り可能な媒体としてみなす。従って、
このような接続はコンピュータ読み取り可能な媒体と呼ぶことが適切である。上記の組み
合わせもコンピュータ読み取り可能な媒体の範囲に含まれるべきである。
【００９３】
コンピュータ実行可能な命令は例えば汎用コンピュータ、特殊用途のコンピュータ、ま
たは特殊用途の処理装置に特定の機能または機能の集団を実施させる命令およびデータを
含む。要旨は構造的特長および／あるいは方法的行為固有の言葉で説明されたが、添付特
許請求の範囲で定義される要旨は前記に説明される具体的な特長または行為に必ずしも限
定されるものではないことが理解されよう。逆に前記に説明される具体的な特長および行
為は特許請求の範囲を実施する例示的形状として開示される。
【００９４】
本発明はその精神または本質的な特徴から逸脱することなく他の具体的な形状で実現す
ることができる。説明された実施形態はすべての面で単に例示的であり、限定的とみなさ
れない。従って発明の範囲は前述の説明ではなく添付特許請求の範囲により示される。特
許請求の範囲と同等の意味および範囲内に入るすべての変更は特許請求の範囲に包含され
るものとする。
【図面の簡単な説明】
【００９５】
【図１】（ａ）〜（ｄ）は、ＬＣＤテスト・パネルの例を１０℃、２５℃および４０℃において測定した輝度応答波形を図示したもの。
【図２】（ａ）および（ｂ）は、液晶の正しい応答時間を得るために用いられるオーバドライブ・パラメータが温度変動によりどのように影響され得るかを図示したもの、（ｃ）および（ｄ）は、異なる周囲温度で動作する液晶をオーバドライブするために基準温度で較正されたルックアップ表を用いる際、導入される目標輝度の推定エラーを図示したもの。
【図３】適応オーバドライブ・パラメータを計算するのに用いられるオーバドライブ・モジュール例の概略的なブロック図。
【図４】適応オーバドライブ・パラメータの計算に用い得る正規化ルックアップ表の一例。
【図５】代表的なエラー視感度曲線、基準温度で較正されたルックアップ表から抽出されたオーバドライブを用いた最大推定目標輝度エラー、および温度適応アルゴリズムを用いた最大推定目標輝度エラーを図示したもの。
【図６】ＬＣＤディスプレイ内の液晶の応答時間に影響し得る温度変動を補正するオーバドライブ・パラメータを決定する方法の一例のフロー図。
【符号の説明】
【００９６】
２０２…グレーレベル目標値、２０４…グレーレベル開始値、３００…オーバドライブ
・モジュール、３０２…フレーム・メモリ、３０４…ルックアップ表メモリ、３０６…Ｒ
ＧＢ→ＹＵＶコンバータ、３０８…プロセッサ、３１０…ＹＵＶ→ＲＧＢコンバータ、３
１２…温度センサ。
【図１】
2008242458.tif 000032
【図２】
2008242458.tif 000033
【図３】
2008242458.tif 000034
【図４】
2008242458.tif 000035
【図５】
2008242458.tif 000036
【図６】
2008242458.tif 000037